(57)【要約】  本発明は、染料定着性ポリマーとして少なくとも1種の疎水変性ポリアルキレンイミンを含むファブリックケア組成物に関する。本発明は、さらに、着色ファブリックの洗浄又は処理中に改善された色ケア効果を提供する方法であって、染料定着性ポリマーとしての疎水変性ポリアルキレンイミンの使用を含む、方法に関する。【選択図】なし【特許請求の範囲】
【請求項１】
少なくとも1種の疎水変性ポリアルキレンイミンを含むファブリックケア組成物であって、疎水変性ポリアルキレンイミンが、200g/mol以上且つ1000g/mol未満、好ましくは300g/mol以上且つ1000g/mol未満、より好ましくは500g/mol以上且つ1000g/mol未満の重量平均分子量を有するポリアルキレンイミン骨格;及びポリアルキレンイミンの骨格に共有結合している疎水性部分を含む、ファブリックケア組成物。
【請求項２】
ポリアルキレンイミンの窒素原子の2〜25mol%、好ましくは5〜20mol%が、脂肪族の飽和又は不飽和の疎水性部分を有する、請求項1に記載のファブリックケア組成物。
【請求項３】
疎水性部分の分率が、疎水変性ポリアルキレンイミンの総重量に基づいて5〜60重量%、好ましくは10〜50重量%、より好ましくは10〜30重量%を構成する、請求項2又は3に記載のファブリックケア組成物。
【請求項４】
疎水性部分が、C4〜C30-アルキル、C4〜C30-アルキルカルボニル、C4〜C30-アルケニル、C4〜C30-アルケニルカルボニル、C4〜C30-アルカジエニル、C4〜C30-アルカジエニルカルボニル及び/又はヒドロキシ-C4〜C30-アルキル基の形態で、好ましくはC6〜C18-アルキル、C6〜C18-アルキルカルボニル、C6〜C18-アルケニル、C6〜C18-アルケニルカルボニル、C6〜C18-アルカジエニル、C6〜C18-アルカジエニルカルボニル及び/又はヒドロキシ-C6〜C18-アルキル基の形態で、より好ましくはC8〜C16-アルキル、C8〜C16-アルキルカルボニル、C8〜C16-アルケニル、C8〜C16-アルケニルカルボニル、C8〜C16-アルカジエニル、C8〜C16-アルカジエニルカルボニル及び/又はヒドロキシ-C8〜C16-アルキル基の形態で存在する、請求項1から3のいずれか一項に記載のファブリックケア組成物。
【請求項５】
疎水変性ポリアルキレンイミンが、300〜5000g/mol、好ましくは500〜3000g/mol、より好ましくは800〜2000g/molの範囲の重量平均分子量を有する、請求項1から4のいずれか一項に記載のファブリックケア組成物。
【請求項６】
ポリアルキレンイミン骨格中の疎水変性ポリアルキレンイミンが分岐している、請求項1から5のいずれか一項に記載のファブリックケア組成物。
【請求項７】
疎水変性ポリアルキレンイミンが、未変性ポリアルキレンイミンと疎水化剤との反応を含む方法により得られる、請求項1から6のいずれか一項に記載のファブリックケア組成物。
【請求項８】
疎水化剤が、4〜30個の炭素原子、好ましくは6〜18個の炭素原子、より好ましくは8〜16個の炭素原子を有する直鎖又は分岐のカルボン酸;天然油、4〜30個の炭素原子、好ましくは6〜18個の炭素原子、より好ましくは8〜16個の炭素原子を有する直鎖又は分岐のアルキルハロゲン化物;4〜30個の炭素原子、好ましくは6〜18個の炭素原子、より好ましくは8〜16個の炭素原子を有するアルキルエポキシド;4〜30個の炭素原子、好ましくは6〜18個の炭素原子、より好ましくは8〜16個の炭素原子を有するアルキルケテンダイマー;4〜30個の炭素原子、好ましくは6〜18個の炭素原子、より好ましくは8〜16個の炭素原子を有する環状ジカルボン酸無水物;4〜30個の炭素原子、好ましくは6〜18個の炭素原子、より好ましくは8〜16個の炭素原子を有するアルキルイソシアネート;4〜30個の炭素原子、好ましくは6〜18個の炭素原子、より好ましくは8〜16個の炭素原子を有する直鎖又は分岐のアルカノール又はアルケノールのクロロギ酸エステル;及び4〜30個の炭素原子、好ましくは6〜18個の炭素原子、より好ましくは8〜16個の炭素原子を有する直鎖又は分岐の脂肪族アルデヒドからなる群から選択される、請求項7に記載のファブリックケア組成物。
【請求項９】
ポリアルキレンイミン骨格が分岐している、請求項1から8のいずれか一項に記載のファブリックケア組成物。
【請求項１０】
疎水変性ポリアルキレンイミンが、疎水変性ポリエチレンイミン、疎水変性ポリプロピレンイミン又は疎水変性ポリブチレンイミンである、請求項1から9のいずれか一項に記載のファブリックケア組成物。
【請求項１１】
少なくとも1種の非イオン性、アニオン性及び/又はカチオン性界面活性剤を更に含む、請求項1から10のいずれか一項に記載のファブリックケア組成物。
【請求項１２】
疎水変性ポリアルキレンイミンが組成物の0.01〜30重量%の濃度で使用される、請求項1から11のいずれか一項に記載のファブリックケア組成物。
【請求項１３】
界面活性剤が組成物の総重量に基づいて0.5〜80重量%である、請求項11又は12に記載のファブリックケア組成物。
【請求項１４】
着色ファブリックの洗浄及び/又は処理中に改善された色ケア効果を提供する方法であって、着色ファブリックと請求項1から13のいずれか一項に記載のファブリックケア組成物を含有する洗浄溶液とを接触させる工程を含む、方法。
【請求項１５】
着色ファブリックの洗浄及び/又は処理中に色ケア効果を増強するための、請求項1から13のいずれか一項に記載のファブリックケア組成物の使用。
【請求項１６】
洗濯洗剤、ファブリックコンディショナー、前処理剤、回転式乾燥機シート及び洗浄後スプレーの製品を調製するための、請求項1から13のいずれか一項に記載のファブリックケア組成物の使用。
【発明の詳細な説明】
【技術分野】
【０００１】
本発明は、ファブリックケア配合物中の染料定着性ポリマーとしての疎水変性ポリアルキレンイミンに関する。本発明はまた、染料定着性ポリマーを使用することによる、着色ファブリックを洗浄する場合の色固着効果のための方法にも関する。
【背景技術】
【０００２】
着色ファブリックの洗浄及び/又は処理における公知の問題はファブリック外観の退色であり、それは色の明暗強度、忠実度及び鮮明度の損失に少なくとも部分的に起因する。そのような色ぬけの問題は、特に暗色、例えば黒色、赤色、青色及び緑色に関して、数回の洗浄サイクルの後の洗濯処理において更に激しくなる。
【０００３】
洗浄プロセス中に、着色ファブリックの色が固着不良の場合、すなわち色泣きがある場合、着色ファブリックの急速な色あせが起こるだけではなく、洗浄液剤中の相対的に高い染料濃度の結果として、同時に洗浄される異色又は白色のファブリックの汚染も付加的に起こり得る。
【０００４】
色泣き及び退色の問題を解決するために、色ぬけに関するいくつかの機構が推測され、色ぬけ又は色移りを防止するか又はその程度を低減するために様々な手段が提案されてきた。洗浄又は処理によるファブリックからの染料の損失及び移動を最小限にすることにより、着色ファブリックの外観を改善するように設計された、染料固着剤及び移染防止剤が周知である。米国特許出願公開第2010/0017973号は、洗濯プロセス中の色移りを防止し得る移染防止剤を開示している。しかしながら、着色ファブリックの色泣き及び色あせは防止することができない。米国特許出願公開第2007/0277327号は、染料固着剤としてポリアミン/ポリイミン又はそれらの誘導体を含有する洗剤及びクリーニング剤を開示しており、これらは汚れ放出ポリマーと組み合わせて使用することができる。しかしながら、液体洗濯洗剤配合物における大部分の染料固着剤の使用は、化合物の綿状凝集、沈殿又は相分離を起こす、アニオン性界面活性剤と染料定着性化合物との適合性の欠如に起因して、実際にはアニオン性界面活性剤を全く含まないか又は非常に低含有量のアニオン性界面活性剤を含む配合物に限定される。
【発明の概要】
【０００５】
近年では、色定着を改善し且つ洗浄性界面活性剤と優れた適合性を示し得る染料固着剤を含む洗濯配合物に対する需要が依然として増加している。
【０００６】
したがって洗濯配合物とより良好でより広範な適合性を示しながら、洗濯洗浄及び/又は処理プロセスを通して効果的に染料固着を助ける染料定着性ポリマーを提供することが本発明の目的である。
【０００７】
一態様では、本発明は、少なくとも1種の疎水変性ポリアルキレンイミンを含むファブリックケア組成物であって、疎水変性ポリアルキレンイミンが、200g/mol以上且つ1000g/mol未満の重量平均分子量を有するポリアルキレンイミン骨格、及びポリアルキレンイミンの骨格に共有結合している疎水性部分を含む、ファブリックケア組成物に関する。
【０００８】
好ましくは、未変性ポリアルキレンイミン骨格はポリエチレンイミン、ポリプロピレンイミン又はポリブチレンイミンであり得る。好ましくは、前記未変性ポリアルキレンイミンは300g/mol以上且つ1000g/mol未満、より好ましくは500g/mol以上且つ1000g/mol未満の重量平均分子量を有する。
【０００９】
更なる態様では、疎水変性ポリアルキレンイミンは、未変性ポリアルキレンイミンと疎水化剤との反応を含む方法により得られる。
【００１０】
また更なる態様では、本発明は疎水変性ポリアルキレンイミン並びに少なくとも1種の非イオン性、アニオン性及び/又はカチオン性界面活性剤を含むファブリックケア組成物を提供する。
【００１１】
別の態様では、本発明は、着色ファブリックの洗浄及び/又は処理中に改善された色ケア効果をもたらす方法であって、着色ファブリックと疎水変性ポリアルキレンイミンを含有する洗浄溶液とを接触させる工程を含む、方法を提供する。
【００１２】
また別の態様では、本発明は、着色ファブリックの洗浄及び/又は処理中に色ケア効果を増強するための、疎水変性ポリアルキレンイミンを含むファブリックケア組成物の使用に関する。
【００１３】
驚くべきことに且つ予想外にも、本発明の疎水変性ポリアルキレンイミンが、ファブリックケア組成物に配合された場合に、満足できる色固着効果及び優れた適合性を示し、したがって上に概要を述べた目的の達成を可能にすることを、本出願はここに見出した。
【発明を実施するための形態】
【００１４】
特許請求の範囲を含む本記載の全体を通して、用語「1つ(1種)を含む(comprising one)」又は「1つ(1種)を含む(comprising a)」は、特に明記されない限り、用語「少なくとも1つ(1種)を含む」と同義であると理解されるべきであり、「の間」は端点を含むと理解されるべきである。
【００１５】
用語「a」、「an」及び「the」は、1つ(1種)又は2つ(2種)以上(すなわち少なくとも1つ(1種))のこれらの冠詞の文法上の対象を指すために使用される。
【００１６】
用語「及び/又は」は、「及び」、「又は」という意味、及びこの用語に連結する要素の他の可能な全ての組み合わせも含む。
【００１７】
濃度、重量比又は量のいずれの範囲の記載においても、任意の特定のより高い濃度、重量比又は量を、任意の特定のより低い濃度、重量比又は量とそれぞれ結び付けることができることに留意されたい。
【００１８】
本明細書で使用される場合、用語「ファブリックケア」は、ファブリック、特に衣類の外観又は摩耗特性を改善する本組成物を指す最も広範囲の用語である。本発明の目的上、ファブリックケア組成物はいくつかの部類に分けられ、特に、洗濯洗剤組成物、ファブリック外観のそれぞれは、典型的にはある成分の存在又はその欠如により特徴付けられる。例えば、「洗濯洗剤組成物」は1種以上の洗浄性界面活性剤を含むことを必要とし、一方「ファブリック柔軟剤組成物」は1種以上のカチオン性第四級アンモニウム化合物を含むことを必要とする。用語「ファブリックケア」は、ファブリックコンディショニング組成物と同様に洗濯洗剤組成物を指し得る。
【００１９】
本明細書で使用される場合、用語「疎水変性ポリアルキレンイミン」は、未変性ポリアルキレンイミン骨格に化学的に結合した疎水性基を有するポリアルキレンイミンを指す。
【００２０】
本明細書で使用される場合、用語「未変性又は非変性」は、変性されていないか又は官能化されていないポリマー基材を指す。
【００２１】
本明細書で使用される場合、用語「炭化水素基」は、任意の直鎖状、分岐、環式、非環式、複素環式、飽和又は不飽和の鎖を指し、この鎖は、1つ以上の水素原子を含む炭素骨格を含み、任意選択で炭素骨格中又は炭素骨格上で1つ以上のヘテロ原子で置換されている。
【００２２】
本明細書で使用される場合、用語「疎水性部分」は、飽和又は不飽和の、置換又は非置換の、直鎖状又は分岐の、環式又は非環式の炭化水素基であり得る部分である。
【００２３】
本明細書で使用される場合、用語「アルキル」とは、例えばメチル、エチル、n-プロピル、イソプロピル、n-ブチル、sec-ブチル、t-ブチル、ペンチル、n-ヘキシル、シクロヘキシルなどの直鎖状、分岐又は環式であり得る飽和炭化水素基を意味する。
【００２４】
本明細書で使用される場合、用語「ヒドロキシアルキル」とは、アルキル基、より典型的にはヒドロキシル基で置換されたアルキル基、例えばヒドロキシメチル、ヒドロキシエチル、ヒドロキシプロピル、及びヒドロキシデシルなどを意味する。
【００２５】
本明細書で使用される場合、用語「アルキレン」とは、2価の非環式飽和炭化水素基を意味し、メチレン、ポリメチレン、及びアルキル置換されたポリメチレン基、例えばジメチレン、テトラメチレン、及び2-メチルトリメチレンなどを含むがこれらに限定されない。
【００２６】
本明細書で使用される場合、用語「アルケニル」及び「アルカジエニル」は、それぞれ、鎖内に1つ又は2つの炭素-炭素二重結合を有するアルキル基を指す。
【００２７】
本明細書で使用される場合、用語「アルケニルカルボニル」は-C(=O)R基を指し、式中、Rは任意選択で置換されていてもよいアルケニルである。
【００２８】
本発明は、少なくとも1種の疎水変性ポリアルキレンイミンを含むファブリックケア組成物であって、疎水変性ポリアルキレンイミンが、200g/mol以上且つ1000g/mol未満、好ましくは300g/mol以上且つ1000g/mol未満、より好ましくは500g/mol以上且つ1000g/mol未満の重量平均分子量を有するポリアルキレンイミン骨格;及びポリアルキレンイミンの骨格に共有結合している疎水性部分を含む、ファブリックケア組成物に関する。
【００２９】
疎水変性ポリアルキレンイミンは、第一級及び第二級アミノ基の水素原子が、直鎖又は分岐の脂肪族の飽和又は不飽和の炭化水素基、例えばアルキル、アルケニル、アルカジエニル又はヒドロキシアルキル基により部分的又は完全に置き換えられているポリアルキレンイミンを意味すると理解されるべきである。炭化水素基は一般に4〜30個の炭素原子、好ましくは6〜18個の炭素原子、より好ましくは8〜16個の炭素原子を有する。
【００３０】
疎水変性ポリアルキレンイミンは、未変性ポリアルキレンイミンと疎水化剤との反応を含む方法により得ることができる。それぞれの場合に使用される疎水化剤に応じて、炭化水素基はポリアルキレンイミンの窒素原子と、直接、又は官能基を介して、例えばカルボニル基(*-C(=O)-#)を介して、オキシカルボニル基(*-O-C(=O)-#)を介して、アミノカルボニル基(*-NH-C(=O)-#)を介して、カルボニルオキシヒドロキシルプロピル基(*-C(=O)-O-CH2-CH(OH)-CH2-#)を介して、2-オキシカルボニルエチレンカルボニル基(*-CH(COOH)-CH2-CO-#)を介して、又は式*-CH2-(C=O)-CH-(C=O)-#の基を介して結合することができる(上に示した式中、*は炭化水素基との結合を表し、#はポリアルキレンイミンの窒素原子との結合を表す)。炭化水素基はまた、ポリアルキレンイミンの窒素原子とアルジミン若しくはケチミン基を形成するか、又は環状アミジン基の炭素原子を介してポリアルキレンイミンの2個の窒素原子と結合することができる。
【００３１】
好ましくは、疎水変性ポリアルキレンイミンは、ポリアルキレンイミンの1個の窒素原子と直接又はカルボニル基を介して結合している炭化水素基を有する。後者が特に好ましい。好ましくは炭化水素基は直鎖であり、より好ましくは炭化水素基は飽和している。
【００３２】
本発明の実施形態のいずれか1つに基づいて、好ましい疎水変性ポリアルキレンイミン中の炭化水素基は、C4〜C30-アルキル、C4〜C30-アルキルカルボニル、C4〜C30-アルケニル、C4〜C30-アルケニルカルボニル、C4〜C30-アルカジエニル、C4〜C30-アルカジエニルカルボニル及び/又はヒドロキシ-C4〜C30-アルキル基の形態で、特にC6〜C18-アルキル、C6〜C18-アルキルカルボニル、C6〜C18-アルケニル、C6〜C18-アルケニルカルボニル、C6〜C18-アルカジエニル、C6〜C18-アルカジエニルカルボニル及び/又はヒドロキシ-C6〜C18-アルキル基の形態で、特に好ましくはC8〜C16-アルキル、C8〜C16-アルキルカルボニル、C8〜C16-アルケニル、C8〜C16-アルケニルカルボニル、C8〜C16-アルカジエニル、C8〜C16-アルカジエニルカルボニル及び/又はヒドロキシ-C8〜C16-アルキル基の形態で存在し、前述した基のアルキル、ヒドロキシ-アルキル、アルケニル、アルカジエニル基は好ましくは直鎖である。
【００３３】
一部の好ましい実施形態では、炭化水素基はC4〜C30-アルキルカルボニル又はC4〜C30-アルケニルカルボニル基の形態で、特にC6〜C18-アルキルカルボニル又はC6〜C18-アルケニルカルボニル基の形態で、とりわけC8〜C16-アルキルカルボニル又はC8〜C16-アルケニルカルボニル基の形態で存在し、前述した基のアルキル及びアルケニル基は好ましくは直鎖である。
【００３４】
本発明の実施形態のいずれか1つに基づいて、疎水変性ポリアルキレンイミンの窒素原子の約2〜25mol%、特に5〜20mol%、とりわけ6〜15mol%は炭化水素基を有する。それに対応して、炭化水素基の分率は、疎水変性ポリアルキレンイミンの総重量に基づいて好ましくは5〜60重量%、特に10〜50重量%、具体的には10〜35重量%を構成する。
【００３５】
本発明に基づいて使用される疎水変性ポリアルキレンイミンは直鎖又は分岐であり得る。詳細には、分岐ポリアルキレンイミンの分岐はその窒素部分で起こり得る。直鎖ポリアルキレンイミンは式Aの繰り返し単位のみから構成され;分岐ポリアルキレンイミンは直鎖繰り返し単位に加えて式Bに基づく第三級窒素原子を有する。
【００３６】
【化１】
2022500519.tif 000002
(式中、QはC2〜C8アルキレンであり、好ましくはエチレン、プロピレン又はブチレンである)。
【００３７】
これらの分岐の疎水変性ポリアルキレンイミンが好ましく、特に、基部となるポリアルキレンイミンに基づいて、平均して、ポリアルキレンイミン1分子当たり少なくとも1個、好ましくは少なくとも5個又は少なくとも10個の式Bに従う分岐点を有する、分岐の疎水変性ポリエチレンイミンが好ましい。特に、親ポリアルキレンイミンの窒素原子の少なくとも5%、特に少なくとも10%、特に好ましくは少なくとも15%、例えば5〜40%、具体的には15〜35%は第三級窒素原子である。詳細には、高分岐度の場合、すなわち親ポリアルキレンイミンの窒素原子の少なくとも10%、特に15%、例えば10〜40%、特に15〜35%が第三級窒素原子である場合、疎水変性ポリアルキレンイミンはコアシェル構造と同様の構造を有し、ポリアルキレンイミン部分はコアを形成し、疎水性基はシェルを形成する。
【００３８】
本発明の実施形態のいずれか1つに基づいて、疎水変性ポリアルキレンイミンは未架橋又は架橋の形態で存在し得る。好ましくは、疎水変性ポリアルキレンイミンは未架橋である。本発明の実施形態のいずれか1つに基づいて、疎水変性ポリアルキレンイミンは、300g/mol〜5000g/mol、好ましくは500〜3000g/mol、より好ましくは800g/mol〜2000g/molの範囲の重量平均分子量を有する。
【００３９】
本発明に基づいて使用される疎水変性ポリアルキレンイミンは従来技術から一部公知であるか、又は以下に記載される方法に類似して調製することができる。したがって、本発明の一実施形態は、未変性ポリアルキレンイミン、特に未変性分岐ポリアルキレンイミン、具体的には未変性分岐ポリエチレンイミンと、疎水化剤との反応を含む方法により得られる疎水変性ポリアルキレンイミンの使用に関する。
【００４０】
好適な疎水化剤の例には、
i)アルキル基又はアルケニル基中に4〜30個の炭素原子、好ましくは6〜18個の炭素原子、より好ましくは8〜16個の炭素原子を有する長鎖、直鎖又は分岐のカルボン酸、例えばカプリル酸、ペラルゴン酸、ウンデカン酸、ラウリン酸、トリデカン酸、ミリスチン酸、ペンタデカン酸、パルミチン酸、マルガリン酸、ステアリン酸、ノナデカン酸、アラキン酸、ベヘン酸、パルミトレイン酸、オレイン酸、リノール酸、リノレン酸、アラキドン酸及びこれらの混合物、好ましくはラウリン酸、ステアリン酸、パルミチン酸及びオレイン酸、又はこれらのアミド形成誘導体、例えば記載されたカルボン酸の酸塩化物、エステル又は無水物及びこれらの混合物;
ii)典型的にはトリグリセリド、遊離脂肪酸、又はトリグリセリド及び遊離脂肪酸の組み合わせを含有する、植物油、ナッツ油、種子油、動物油及び水産油を含む天然油。好適な天然植物油の例はダイズ油、ナタネ油、パーム油、トウモロコシ油、綿実油、ヤシ油、パーム核油であり;好適な動物油/水産油の例はラード、魚油、牛脂油、アザラシ油及び乳脂肪、及びこれらの油の水素化又はエステル交換により得られるもの、並びにこれらの混合物;
iii)直鎖又は分岐のアルキル基中に4〜30個の炭素原子、好ましくは6〜18個の炭素原子、より好ましくは8〜16個の炭素原子を有する直鎖又は分岐のアルキルハロゲン化物、例えば塩化オクチル、塩化ノニル、塩化デシル、塩化ドデシル、塩化テトラデシル、塩化ヘキサデシル、塩化オクタデシル及びこれらの混合物;
iv)直鎖又は分岐のアルキル基中に4〜30個の炭素原子、好ましくは6〜18個の炭素原子、より好ましくは8〜16個の炭素原子を有するアルキルエポキシド、例えばヘキサデセニルオキシド、ドデセニルオキシド及びオクタデセニルオキシド並びにこれらの混合物;
v)直鎖又は分岐のアルキル基中に4〜30個の炭素原子、好ましくは6〜18個の炭素原子、特に8〜16個の炭素原子を有するアルキルケテンダイマー、例えばラウリルケテン、パルミチルケテン、ステアリルケテン及びオレイルケテンダイマー並びにこれらの混合物;
vi)直鎖又は分岐のアルキル基中に4〜30個の炭素原子、好ましくは6〜18個の炭素原子、特に8〜16個の炭素原子を有する環状ジカルボン酸無水物、特にアルキル置換された無水コハク酸、例えばドデセニルコハク酸無水物、テトラデシルコハク酸無水物、ヘキサデセニルコハク酸無水物及びこれらの混合物;
vii)直鎖又は分岐のアルキル基中に4〜30個の炭素原子、好ましくは6〜18個の炭素原子、より好ましくは8〜16個の炭素原子を有するアルキルイソシアネート、例えばテトラデシルイソシアネート、ヘキサデシルイソシアネート、オクタデシルイソシアネート及びこれらの混合物;
viii)4〜30個の炭素原子、好ましくは6〜18個の炭素原子、より好ましくは8〜16個の炭素原子を有する直鎖又は分岐のアルカノール又はアルケノールのクロロギ酸エステル、及び合計4〜30個の炭素原子、特に6〜18個の炭素原子を有するジアルキルケトン並びにこれらの混合物;
viiii)4〜30個の炭素原子、好ましくは6〜18個の炭素原子、特に8〜16個の炭素原子を有する直鎖又は分岐の脂肪族アルデヒド、及び2個のアルキル基中に合計4〜30個の炭素原子、好ましくは6〜18個の炭素原子、特に8〜16個の炭素原子を有するジアルキルケトン並びにこれらの混合物
が含まれるが、これらに限定されない。
【００４１】
本発明の実施形態のいずれか1つに基づいて、疎水変性ポリアルキレンイミンの基部を形成する未変性ポリアルキレンイミンは、エチレンイミン(アジリジン)及びその高級同族体、プロピレンイミン(メチルアジリジン)及びブチレンイミン(1,2-ジメチルアジリジン、1,1-ジメチルアジリジン及び1-エチルアジリジン)のホモポリマー、エチレンイミンとその高級同族体とのコポリマー、並びにポリアミドアミン又はポリビニルアミンとエチレンイミン及び/又はその高級同族体とのグラフトポリマーを含む。また好適なものは、WO02/095122に記載されるアルキレンイミンのグラフトポリマー、例えばポリアミドアミン又はポリビニルアミンへのエチレンイミンのグラフトポリマーである。そのようなグラフトポリマーは一般に、未変性ポリアルキレンイミンの総重量に基づいて少なくとも10重量%、特に少なくとも30重量%、例えば10〜90重量%、特に10〜85重量%のアルキレンイミンの重量分率を有する。一部の好ましい実施形態では、未変性ポリアルキレンイミンは、分岐ポリアルキレンイミン、好ましくはポリエチレンイミン、特に分岐ポリエチレンイミン、とりわけエチレンイミンのホモポリマー、更により特定するとエチレンイミンの分岐ホモポリマーである。
【００４２】
本発明の実施形態のいずれか1つに基づいて、未変性ポリアルキレンイミンは200g/mol以上から1000g/mol未満までの重量平均分子量Mwを有する。好ましくは、未変性ポリアルキレンイミンは300g/mol以上から1000g/mol未満までの重量平均分子量Mwを有する。より好ましくは、未変性ポリアルキレンイミンは500g/mol以上から1000g/mol未満までの重量平均分子量Mwを有する。ここに示される分子量は、ゲル浸透クロマトグラフィーの手段により特定され、25℃において希釈水溶液で測定され、重量平均分子量に相当する分子量を指す。
【００４３】
本発明はまた、未変性ポリアルキレンイミンと少なくとも1種の疎水化剤との反応にも関し、これは従来技術で公知の方法に基づいて起こり得る。反応条件は当然のことながらポリアルキレンイミン及び疎水化剤の種類及び機能性に依存する。一部の実施形態では、反応は、溶媒又は希釈剤を用いて又は用いずに、実施され得る。反応に好適な溶媒の例には、炭化水素、特に芳香族炭化水素、例えばアルキルベンゼン、例えばキシレン、トルエン、クメン、tert-ブチルベンゼンなどが含まれるが、これらに限定されない。一部の実施形態では、反応は無溶媒反応として起こり得、該反応は、少なくとも(a)ポリアルキレンイミンと疎水化剤の混合物を溶融状態まで加熱する工程と;(b)混合物を撹拌してポリアルキレンイミンをある量の疎水化剤と反応させる工程とを含み、ここで使用される疎水化剤の量はポリアルキレンイミンの窒素原子の約2mol%〜25mol%、特に約5〜20mol%、とりわけ6〜15mol%を誘導体化するのに十分である。一部の好ましい実施形態では、未変性ポリアルキレンイミンと疎水化剤としての天然油の間で起きる反応は、(a)ポリアルキレンイミンと天然油の混合物を溶融状態まで加熱する工程と;(b)混合物を撹拌して、窒素流下でポリアルキレンイミンをある量の天然油と80〜120℃の温度で反応させる工程とを含み、ここで使用される疎水化剤の量はポリアルキレンイミンの窒素原子の約2mol%〜25mol%、特に約5〜20mol%、とりわけ6〜15mol%を誘導体化するのに十分である。一部の実施形態では、疎水化剤は所望の機能性に対応する量で使用され、疎水化剤を過剰に使用することも可能である。
【００４４】
一部の実施形態では、反応はまた、ポリアルキレンイミンに対する疎水化剤の反応性を改善する触媒の存在下で実施されてもよい。触媒の種類はそれ自体で公知の手法において疎水化剤の種類及び反応性に依存する。触媒は通常ルイス酸又はブレンステッド酸である。
【００４５】
一部の実施形態では、カルボン酸及びカルボン酸誘導体が疎水化剤として使用され、低分子量生成物、例えば反応中に反応混合物から形成される水、アルコール又は塩化水素などを除去することが有利であることがわかっている。例えば、カルボン酸を使用する場合、形成された水は共沸剤（entrainer）又は真空により反応混合物から除去されることが好ましい。典型的な共沸剤は炭化水素であり、特にアルキル芳香族、例えばトルエン又はキシレンである。
【００４６】
疎水変性ポリアルキレンイミンは一般に水溶性又は水分散性であり、固体及び/又は液体のファブリックケア組成物で使用することができる。疎水変性ポリアルキレンイミンを含む前記ファブリックケア組成物は、洗濯洗剤、すすぎ後コンディショナー、前処理剤、回転式乾燥機シート、洗浄後スプレーなどを含むがこれらに限定されない様々なファブリックケア製品に使用することができる。
【００４７】
本発明の疎水変性ポリアルキレンイミンは、特に従来の洗剤成分との高適合性、特にアニオン性界面活性剤、非イオン性界面活性剤及び任意選択でカチオン性界面活性剤を含む液体洗剤配合物の成分との高適合性により特徴付けられる。疎水変性ポリアルキレンイミンを含む固体/液体のファブリックケア組成物は、従来技術で公知の方法により調製することができ、疎水変性ポリアルキレンイミンは粉末若しくは細粒の形態又は液体形態で使用されてもよく、液体形態、すなわち溶解又は分散された形態で使用されることが好ましい。
【００４８】
一部の実施形態では、疎水変性ポリアルキレンイミンは、例えば主に非イオン性界面活性剤を含有する洗浄性界面活性剤系を含むこれらの洗剤配合物に使用することができる。好ましくは非イオン性界面活性剤の濃度は、ファブリックケア組成物中の界面活性剤の総量に基づいて、10〜100重量%、好ましくは20〜100重量%、より好ましくは30〜100重量%である。また一部の実施形態では、疎水変性ポリアルキレンイミンは、洗浄性界面活性剤系中に相対的に高含有量のアニオン性界面活性剤を含み得るこれらの洗剤配合物に特に有用となる。好ましくは、アニオン性界面活性剤の濃度は、ファブリックケア組成物中の界面活性剤の総量に基づいて、10〜100重量%、好ましくは20〜100重量%、より好ましくは30〜100重量%である。
【００４９】
固体組成物は少なくとも1種の非イオン性、カチオン性及び/又はアニオン性界面活性剤を更に含む。組成物中の界面活性剤の全濃度は、0.5〜60重量%、好ましくは5〜40重量%であり得る。本発明の組成物に利用される疎水変性ポリアルキレンイミンの典型的な量は、組成物の0.01〜30重量%、好ましくは0.01〜15重量%、より好ましくは0.05〜5重量%である。
【００５０】
液体組成物は少なくとも1種の非イオン性、アニオン性及び/又はカチオン性界面活性剤を更に含む。組成物中の界面活性剤の全濃度は、0.5〜80重量%、好ましくは5〜70重量%であり得る。本発明の組成物に利用される疎水変性ポリアルキレンイミンの典型的な量は、配合物の0.01〜30重量%、好ましくは0.01〜15重量%、より好ましくは0.05〜5重量%である。
【００５１】
それらの意図される使用に応じて、組成物は洗浄/処理される布地の種類に適合される。
【００５２】
使用される界面活性剤はアニオン性、非イオン性、両性及びカチオン性であってもよい。前記界面活性剤の混合物を使用することも可能であり、好ましい洗濯洗剤配合物は、アニオン性及び/又は非イオン性界面活性剤並びに他の界面活性剤とこれらの混合物を含む。
【００５３】
好適なアニオン性界面活性剤はスルフェート、スルホネート、カルボキシレート、ホスフェート及びこれらの混合物である。ここで好適なカチオンは、アルカリ金属、例えばナトリウム若しくはカリウムなど、又はアルカリ土類金属、例えばカルシウム又はマグネシウムなど、及びアンモニウム、置換されたアンモニウム化合物、例えば、モノ-、ジ-又はトリエタノールアンモニウムカチオン、並びにこれらの混合物である。
【００５４】
以下の種類のアニオン性界面活性剤が特に好ましい:
8〜22個、好ましくは10〜18個の炭素原子を有する(脂肪)アルコールのスルフェート、特にC9〜C11-アルコールスルフェート、C12〜C14-アルコールスルフェート、C12〜C18-アルコールスルフェート、ラウリルスルフェート、セチルスルフェート、ミリスチルスルフェート、パルミチルスルフェート、ステアリルスルフェート及び牛脂脂肪アルコールスルフェート;硫酸化アルコキシル化C8〜C22-アルコール(アルキルエーテルスルフェート):この種類の化合物は例えばC8〜C22-、好ましくはC10〜C18-アルコール、例えば脂肪アルコールを最初にアルコキシル化し、次にアルコキシル化生成物を硫酸化することにより調製される。アルコキシル化のために、エチレンオキシドが使用されることが好ましい;直鎖C8〜C20-アルキルベンゼンスルホネート(LAS)、好ましくは直鎖C9〜C13-アルキルベンゼンスルホネート及びアルキルトルエンスルホネート;アルカンスルホネート、特にC8〜C24-、好ましくはC10〜C18-アルカンスルホネート;オレフィンスルホネート;脂肪酸及び脂肪酸エステルスルホネート;セッケン、例えばC8〜C24-カルボン酸のNa及びK塩、及びこれらの混合物。
【００５５】
アニオン性界面活性剤は、好ましくは塩の形態で洗濯配合物に添加される。ここで好適な塩は、例えばアルカリ金属塩、例えばナトリウム、カリウム及びリチウム塩など、及びアンモニウム塩、例えばヒドロキシエチルアンモニウム、ジ(ヒドロキシエチル)アンモニウム及びトリ(ヒドロキシエチル)アンモニウム塩などである。
【００５６】
好適な非イオン性界面活性剤の例は以下の化合物である:
アルコキシル化C8〜C22-アルコール、例えば脂肪アルコールアルコキシレート、オキソアルコールアルコキシレート及びゲルベアルコールエトキシレート、アルコキシル化はエチレンオキシド、プロピレンオキシド及び/又はブチレンオキシドを用いて起こり得る。ランダムコポリマーのブロックコポリマーが存在してもよい。アルコール1モル当たり、それらは通常2〜50mol、好ましくは3〜20molの少なくとも1種のアルキレンオキシドを含む。好ましいアルキレンオキシドはエチレンオキシドである。アルコールは好ましくは10〜18個の炭素原子を有し;アルキルフェノールアルコキシレート、特に、C6〜C14-アルキル鎖及び5〜30molのアルキレンオキシドを含むアルキルフェノールエトキシレート;C8〜C22-、好ましくはC10〜C18-アルキル鎖及び一般に1〜20、好ましくは1.1〜5のグルコシド単位を含むアルキルポリグルコシド;N-アルキルグルカミド、脂肪酸アミドアルコキシレート、脂肪酸アルカノールアミドアルコキシレート、長鎖アミンオキシド、ポリヒドロキシ(アルコキシ)脂肪酸アミド、ジェミニ型界面活性剤、及びエチレンオキシド、プロピレンオキシド及び/又はブチレンオキシドのブロックコポリマー;並びにこれらの混合物。
【００５７】
好適なカチオン性界面活性剤の例は以下の化合物である:
R1N(CH3)3+X-、R1R2N(CH3)+X-、R1R2R3N(CH3)+X-又はR1R2R3R4N+X-タイプの置換又は非置換の、直鎖状又は分岐の、第四級アンモニウム塩。R1、R2、R3及びR4基はそれぞれ独立して、好ましくは8〜24個の炭素原子、特に10〜18個の炭素原子の鎖長を有する非置換のアルキル、約1〜4個の炭素原子を有するヒドロキシ-アルキル、フェニル、C2〜C18-アルケニル、C7〜C24-アラルキル、xが1〜3の整数である(C2H4O)xH、1つ以上のエステル基を含むアルキル基、又は環状第四級アンモニウム塩である。Xは好適なアニオンである。
【００５８】
更に好ましいカチオン性界面活性剤は、C7〜C25-アルキルアミン;N、N-ジメチル-N-(ヒドロキシ-C7〜C25-アルキル)アンモニウム塩;アルキル化剤で四級化されたモノ-及びジ(C7〜C25-アルキル)ジメチルアンモニウム化合物;エステル第四級アンモニウム塩、特にC8〜C22-カルボン酸とエステル化された第四級エステル化モノ-、ジ-及びトリアルカノールアミン;イミダゾリン第四級アンモニウム及びその誘導体であり得る。
【００５９】
両性又は双極性界面活性剤の典型的な例は、アルキルベタイン、アルキルアミドベタイン、アミノプロピオネート、アミノグリシネート又は両性イミダゾリニウム化合物である。これらの好ましい両性界面活性剤はココアンホカルボキシプロピオネート、ココアミドカルボキシルプロピオン酸、ココアンホカルボキシグリシネート(ココアンホジアセテートとも称される)及びココアンホアセテートである。更に好ましい両性界面活性剤は、約8〜約22個の炭素原子を有するアルキル基を有するアルキルジメチルベタイン及びアルキルジポリエトキシベタインであり、これは直鎖又は分岐の好ましくは約12〜約18個の炭素原子を有し得る。
【００６０】
本発明で使用され得る更なる洗濯成分は、水の硬度を低減するための無機及び/又は有機ビルダーを含む。
【００６１】
これらのビルダーは約5%〜約80%の重量比率でファブリックケア配合物中に存在してもよい。無機ビルダーには、例えばポリリン酸塩、ピロリン酸塩及びガラス状ポリマーのメタリン酸塩、ホスホン酸塩、ケイ酸塩、重炭酸塩及びセスキ炭酸塩を含む炭酸塩、硫酸塩及びアルモケイ酸塩のアルカリ金属、アンモニウム及びアルカノールアンモニウム塩が含まれる。アルモケイ酸塩ビルダーの例は、イオン交換特性を有する結晶性及び非晶質のアルモケイ酸塩、例えば特にゼオライト、様々な種類のゼオライトが好適であり、特にそれらのNa形態か又はNaが他のカチオンにより、例えばLi、K、Ca、Mg又はアンモニウムにより一部置き換えられている形態におけるゼオライトA、X、B、P、MAP及びHSであり;ケイ酸塩ビルダーの例はアルカリ金属ケイ酸塩、特にSiO2:Na2O比が1.6:1〜3.2:1であるもの、及びフィロケイ酸塩、非晶質ケイ酸塩、例えばメタケイ酸ナトリウム及び非晶質の二ケイ酸塩である。炭酸塩及び炭酸水素塩ビルダーの例は、それらのアルカリ金属、アルカリ土類金属又はアンモニウム塩の形態で使用され得るものである。ポリリン酸塩ビルダーの好ましい例は三リン酸五ナトリウムである。有機ビルダーには、例えば低分子量カルボン酸、例えばクエン酸、疎水変性クエン酸、例えばアガリン酸、リンゴ酸、酒石酸、グルコン酸、グルタル酸、コハク酸、イミド二コハク酸、オキシ二コハク酸、プロパントリカルボン酸、ブタンテトラ-カルボン酸、シクロペンタンテトラカルボン酸、アルキル-及びアルケニルコハク酸並びにアミノポリカルボン酸、例えばニトリロ三酢酸、・-アラニン二酢酸、エチレンジアミン四酢酸、セリン二酢酸、イソセリン二酢酸、N-(2-ヒドロキシエチル)イミノ酢酸、エチレンジアミン二コハク酸、並びにメチル-及びエチルグリシン二酢酸又はこれらのアルカリ金属塩;オリゴマー及びポリマーカルボン酸、例えばアクリル酸及びアスパラギン酸のホモポリマー、オリゴマレイン酸、マレイン酸とアクリル酸、メタクリル酸又はC2〜C22-オレフィン、例えばイソブテン又は長鎖・-オレフィン、ビニルC1〜C8-アルキルエーテル、酢酸ビニル、プロピオン酸ビニル、C1〜C8-アルコールとスチレンの(メタ)アクリル酸エステルとのコポリマー;ホスホン酸、例えば、1-ヒドロキシエチレン(1,1-ジホスホン酸)、アミノトリ(メチレンホスホン酸)、エチレンジアミンテトラ(メチレンホスホン酸)及びジエチレントリアミンペンタ(メチレンホスホン酸)など並びにこれらのアルカリ金属塩が含まれる。
【００６２】
本発明に基づくファブリックケア組成物は、クリーニング作用を増強し、洗浄される布地材料の処理又はケアに役立つか又はファブリックケア配合物の性能特性を変化させる習慣的な補助剤又は他の材料を更に含んでもよい。
【００６３】
好適な補助剤の例には米国特許第3,936,537号に示される物質が含まれ、例えば酵素、特にプロテアーゼ、リパーゼ、セルラーゼ及びアミラーゼ、マンナナーゼ;灰色化防止剤、特にカルボキシメチルセルロース及び酢酸ビニルのポリエチレングリコールへのグラフトポリマー;漂白剤、特に無機塩への過酸化水素の付加物、例えば過ホウ酸ナトリウム一水和物、過ホウ酸ナトリウム四水和物及び炭酸ナトリウム過水和物、並びに過カルボン酸、例えばフタルイミドペルカプロン酸;漂白活性剤、特にN,N,N',N'-テトラアセチルエチレンジアミン、p-ノナノイルオキシベンゼンスルホン酸ナトリウム及びN-メチルモルホリニウムアセトニトリル硫酸メチルである。
【００６４】
他の好適な補助剤は、特に酵素安定剤、起泡増進剤、起泡制御剤、変色防止剤及び/又は防食剤、懸濁化剤、染料、充填剤、蛍光染料、消毒薬、アルカリ、ヒドロトロープ化合物、抗酸化剤、香料、溶媒、可溶化剤、再付着防止剤、分散剤、加工助剤、柔軟剤、静電気防止助剤及び汚れ放出ポリマーである。
【００６５】
本発明に基づくファブリックケア組成物は移染防止剤を更に含んでもよい。これらの移染防止剤の例は、ポリアミンN-オキシド、例えばポリ-(4-ビニルピリジンN-オキシド)など、N-ビニルピロリドンとN-ビニルイミダゾール及び任意選択で他のモノマーとのコポリマー、クロロ酢酸と反応させた4-ビニルピリジンのホモポリマー及びコポリマーである。移染防止剤の重大な欠点は、布地から分離して洗浄液剤中に存在する染料と結合するだけでなく、更に布地から染料を取り去って洗浄される着色ファブリックの色あせを助長し得ることである。
【００６６】
洗剤成分は他の点では一般に公知である。詳細な説明は、例えば、WO-A-99/06524及び99/04313;Liquid Detergents、編集:Kuo-Yann Lai、Surfactant Sci.Ser.、第67巻、Marcel Decker、New York、1997年、272〜304頁に見出すことができる。
【００６７】
本発明はまた、改善された色ケア特性を有するファブリックケア組成物を調製する方法であって、組成物に疎水変性ポリアルキレンイミンを添加する工程を含む、方法にも関する。詳細には、本発明は、着色ファブリックのクリーニング及び/又は処理中に改善された色ケア効果をもたらす方法であって、着色ファブリックと疎水変性ポリアルキレンイミンを含有する洗浄溶液とを接触させる工程を含む、方法に関する。より詳細には、色ケア効果の改善は色固着効果に起因する。
【実施例】
【００６８】
材料
ポリエチレンイミン(Lupasol(登録商標)FG、BASFより販売)
パーム核油、Shanghai Jinyang Co.、Ltdから販売
EMPA130:綿に対するC.I.Direct Red83.1(Swissatest、Swissatest Testmaterialien AG、Switzerlandから市販)
EMPA133:綿に対するC.I.Direct Blue71(Swissatest、Swissatest Testmaterialien AG、Switzerlandから市販)
汚染ファブリック:
JB01:綿上にカーボンブラックを伴うミネラルオイル、洗浄性試験用の中国標準
JB03:綿上に顔料を伴う皮脂、洗浄性試験用の中国標準
試験用白色ファブリック:
WFK10A:標準綿(wfk testgewebe GmbH、Germanyから市販);
WFK20A:ポリエステル/綿(65%/35%)(wfk testgewebe GmbH、Germanyから市販)
WFK80A:綿編物(wfk testgewebe GmbH、Germanyから市販)
WFK 泥-油:20%のWFK Clay(コード05203、wfk testgewebe GmbH、Germanyから市販)を水中の1.25%のミネラルオイル及び3.75%のピーナツ油と共に使用して調製。
【００６９】
分子量決定
重量平均分子量をゲル浸透クロマトグラフィー(GPC)により、TSKgel GMPWXLカラム、溶離液としての1.8%の酢酸及び0.3mol/Lの酢酸ナトリウムを含有する水溶液、並びに標準としてのポリエチレングリコール塩を使用して測定することができる。この溶離範囲以外の値は外挿される。
【００７０】
実施例
本発明の疎水変性ポリエチレンイミンの調製(未変性ポリエチレンイミンはMw=800g/molを有する)
ポリマー1:120gのポリエチレンイミン(Mw=800g/mol)及び20.3gのヘキサン酸を混合し、窒素流でパージした。この混合物を150℃まで加熱し撹拌した。反応を6時間実行し、生成物を黄色液体として得た。炭化水素基の分率はポリエチレンイミンの重量に基づいて14.4%である。
【００７１】
ポリマー2:120gのポリエチレンイミン(Mw=800g/mol)及び25.1gのオクタン酸を混合し、窒素流でパージした。この混合物を150℃まで加熱し撹拌した。反応を6時間実行し、生成物を黄色液体として得た。炭化水素基の分率はポリエチレンイミンの重量に基づいて18.5%である。
【００７２】
ポリマー3:60gのポリエチレンイミン(Mw=800g/mol)及び17.5gのラウリン酸を混合し、窒素流でパージした。この混合物を150℃まで加熱し撹拌した。反応を6時間実行し、生成物を黄色液体として得た。炭化水素基の分率はポリエチレンイミンの重量に基づいて26.6%である。
【００７３】
ポリマー4:900gのポリエチレンイミン(Mw=800g/mol)及び297gのパーム核油を混合し、窒素流でパージした。この混合物を90℃まで加熱し撹拌した。反応を6時間実行し、生成物を黄色液体として得た。炭化水素基の分率はポリエチレンイミンの重量に基づいて28.7%である。
【００７４】
ポリマー5:90gのポリエチレンイミン(Mw=800g/mol)及び29.9gのミリスチン酸を混合し、窒素流でパージした。この混合物を150℃まで加熱し撹拌した。反応を6時間実行し、生成物を黄色液体として得た。炭化水素基の分率はポリエチレンイミンの重量に基づいて30.7%である。
【００７５】
ポリマー6:90gのポリエチレンイミン(Mw=800g/mol)及び33.5gのパルミチン酸を混合し、窒素流でパージした。この混合物を150℃まで加熱し撹拌した。反応を6時間実行し、生成物を黄色ペーストとして得た。炭化水素基の分率はポリエチレンイミンの重量に基づいて34.8%である。
【００７６】
ポリマー7:80gのポリエチレンイミン(Mw=800g/mol)及び33.1gのステアリン酸を混合し、窒素流でパージした。この混合物を150℃まで加熱し撹拌した。反応を6時間実行し、生成物を黄色ペーストとして得た。炭化水素基の分率はポリエチレンイミンの重量に基づいて38.9%である。
【００７７】
比較の疎水変性ポリエチレンイミンの調製(未変性ポリエチレンイミンは1300〜5000g/molのMwを有する)
比較ポリマー1を、米国特許出願公開第2010/0017973号に記載される条件下でポリエチレンイミン(Mw=2000g/mol)とラウリン酸との反応により得た。炭化水素基の分率はポリエチレンイミンの重量に基づいて25.6%である。
【００７８】
比較ポリマー2を、米国特許出願公開第2010/0017973号に記載される条件下でポリエチレンイミン(Mw=1300g/mol)とラウリン酸との反応により得た。炭化水素基の分率はポリエチレンイミンの重量に基づいて25.6%である。
【００７９】
比較ポリマー3を、米国特許出願公開第2010/0017973号に記載される条件下でポリエチレンイミン(Mw=5000g/mol)とラウリン酸との反応により得た。炭化水素基の分率はポリエチレンイミンの重量に基づいて28.0%である。
【００８０】
比較ポリマー4を、米国特許出願公開第2010/0017973号に記載される条件下でポリエチレンイミン(Mw=5000g/mol)とパルミチン酸との反応により得た。炭化水素基の分率はポリエチレンイミンの重量に基づいて36.5%である。
【００８１】
比較ポリマー5を、米国特許出願公開第2010/0017973号に記載される条件下でポリエチレンイミン(Mw=5000g/mol)とパルミチン酸との反応により得た。炭化水素基の分率はポリエチレンイミンの重量に基づいて115.8%である。
【００８２】
色固着性能の試験
選択した着色ファブリック(EMPA130及びEMPA133)を、綿製の白色試験用ファブリックの存在下で、液体洗剤組成物(洗剤配合物を7.0〜9.0の間のpHで調製し、その組成は表2に示す)を40℃及び60℃で本発明の染料定着性ポリマーを添加して使用して洗浄した。洗浄サイクル後、ファブリックをすすぎ、脱水機にかけて乾燥させた。色ケア効果を判定するために、ファブリックを洗浄の前及び後にDatacolor反射分光計Model Type ELREPHOを用いて機器により評価した。反射データ読み取り値からL*、a*、b*、Yを得て、更にΔE及びΔY値で表した。
【００８３】
色固着効果に関して、ΔYを評価に採用し、これは明度に関するY値からCIE1931XYZ色空間に基づいて以下の式に従って算出される:
ΔY=Y洗浄済み-Y初期
【００８４】
移染防止効果に関して、当技術分野で従来使用されるようにΔEを採用する。ΔEはCIE1976色差として、DIN EN ISO 11664-4(2012年6月)に準拠して以下の式に従って算出される:
ΔE=(ΔL*2+Δa*2+Δb*2)1/2
式中
ΔL*=L*洗浄済み-L*初期;
Δa*=a*洗浄済み-a*初期;及び
Δb*=b*洗浄済み-b*初期
【００８５】
L*初期、a*初期、及びb*初期の値は、洗浄前に試験用白色ファブリックに対して測定した。L*洗浄済み、a*洗浄済み、及びb*洗浄済みの値は、洗浄後に試験用白色ファブリックに対して測定した。標準比色測定を使用して、L*、a*、及びb*の値を得た。
【００８６】
色泣きファブリックに関して、試験前の初期明度と比較してより高い絶対値のΔYが観察され、より高い色泣き及びより低い色固着が見られる。
【００８７】
試験用白色ファブリックに関して。試験前の初期白色度と比較して、より高いΔE値が観察され、より高い移染が見られる。
【００８８】
洗剤組成物を調製する周知の方法のいずれかを利用して、本発明の洗剤組成物を作製することができる。洗浄条件を表1に示す。使用される洗剤組成を表2に示す。色固着効果及び着色防止効果の試験結果を表3及び表4に列記する。
【００８９】
【表１】
2022500519.tif 000003
【００９０】
【表２】
2022500519.tif 000004
2022500519.tif 000005
【００９１】
【表３】
2022500519.tif 000006
2022500519.tif 000007
【００９２】
表3において明らかに示されるように、本発明のポリマーを含む配合物が、比較ポリマー(1000g/molより大きいMw)を含む配合物と比較して、より低い絶対値のΔYを有し、向上した色固着及びより低い色泣き効果を示すことが、予想外にも見出された。
【００９３】
【表４】
2022500519.tif 000008
【００９４】
表4において示されるように、本発明のポリマーを含む配合物が、染料定着性ポリマーを含まない配合物と比較して、より低いΔE値を有し、良好な着色防止効果を得ることを可能にすることが見出された。
【００９５】
液体洗剤配合物を、表2の組成に基づいて、本発明のポリマー4の濃度を変化させることにより調製した。本配合物の色固着効果及び着色防止効果を、表2に列記されるものと同じ洗浄条件下で試験した。結果を、表5に示す。
【００９６】
【表５】
2022500519.tif 000009
【００９７】
表5における結果は、様々な濃度の本発明のポリマー4を含む全ての配合物が、良好な色固着及び移染防止効果をもたらすことができることを、明確に示している。
【００９８】
配合物適合性試験
0.2重量%の本発明のポリマー4及び比較ポリマー5を、それぞれ、各界面活性剤水溶液又は各配合物に、従来の配合プロセス中に添加した。各配合物は、全界面活性剤濃度が30重量%であるが、アニオン性/非イオン性界面活性剤の比が異なる。ポリマーを有する各試料を1週間保持し、その外観を目視で確認した。結果を表6に列記する。
【００９９】
【表６】
2022500519.tif 000010
【０１００】
様々な界面活性剤を含有する配合物について、特に界面活性剤ブレンド中に主要成分としてアニオン性界面活性剤を含む配合物A及び配合物Cについて、適合性試験を実施した。
【０１０１】
表6において示されるように、本発明のポリマー4を含む配合物が、比較ポリマー5(Mw>1000g/mol))を含む配合物と比較して、改善された適合性を有し、安定で透明な溶液を得ることを可能にすることが、予想外にも見出された。
【０１０２】
洗浄性試験
本発明のポリマー3及び4を含む洗剤配合物を用いて洗浄性試験も行った。洗浄条件を表7に列記する。洗剤配合物を表8に列記される組成に従って調製した。
【０１０３】
白色度試験方法
白色度の試験用ファブリックを使用して汚れの程度を判定した。白色度の差を、Elrepho2000光度計(Datacolor)を457nmの波長で使用して反射率の光度測定により判定した。
【０１０４】
白色試験用ファブリックに関して、試験前の初期の明度と比較してより高値の白色度低下が観察され、ファブリックへのより高い汚れの再付着が見られる。白色度試験結果を表9に示す。
【０１０５】
【表７】
2022500519.tif 000011
【０１０６】
【表８】
2022500519.tif 000012
2022500519.tif 000013
【０１０７】
【表９】
2022500519.tif 000014
【０１０８】
表9に示す結果によれば、洗剤配合物中の染料定着性ポリマーとしての疎水変性ポリアルキレンイミンが、洗濯洗剤によりファブリックから除去された汚れが洗浄サイクル中にクリーニング/洗浄されたファブリックへ再付着することを防止することができることも、予想外にも見出された。洗浄性界面活性剤と本発明の疎水変性ポリエチレンイミンの間の特に好ましい相互作用が観察され、ファブリックへの汚れ、例えば泥及び油の再付着の低下をもたらした。
【国際調査報告】
2022500519.tif 000015
2022500519.tif 000016